(57)【要約】【課題】自動化制御方法を提供する。【解決手段】自動化制御方法は、自動化制御装置、コンピュータ、インターネット、電気製品、及び、電源コントローラーからなる。自動化制御装置は、CPU、システムリモコン、及び、複数の中継点からなり、且つ、中継点は異なる部屋内に設置できる。CPUはコンピュータに連接され、コンピュータはインターネットに接続される。各中継点が属する部屋内に電気製品と電源コントローラーを設置し、電源コントローラーは、電気製品が必要とする電源を供給する。多機能リモコンは異なる部屋内で、いかなる部屋の電気設備も制御することが出来、インターネットを利用して遠隔制御を可能にする目的を達成する。【選択図】図１
2005073229.tif 000002
【特許請求の範囲】
【請求項１】
ユーザーが家の或いはオフィスの部屋の電気製品に対しリモコン制御する自動化制御方法であって、少なくとも、CPU、システムリモコン、及び、複数の中継点からなり、
前記CPUは、異なる電気製品のリモコン操作方式、及び、それが属する中継点の位置を記録し、
前記中継点は、異なる部屋内に設置され、前記CPUとワイヤレス伝送方式でデータ伝送を実行し、且つ、各中継点の間は、ワイヤレスの方式でデータを相互伝送し、
前記システムリモコンは、前記CPUが記録する異なる電気製品の操作周波数を設定し、前記中継点とワイヤレス伝送方式でデータ伝送を実行し、多機能リモコンが異なる部屋内で、いかなる電気設備も制御できることを特徴とする自動化制御方法。
【請求項２】
前記CPUはコンピュータに接続され、前記コンピュータによりインターネットに接続され、ユーザーはインターネットにより電気製品を制御することができることを特徴とする請求項１に記載の自動化制御方法。
【請求項３】
自動化制御方法であって、システムリモコンにより、家の或いはオフィスの部屋の電気製品に対しリモコン制御するとき、
（１）ユーザーが前記システムリモコンのボタンを押すとき、前記システムリモコンは指令を中継点に発する工程と、
（２）前記中継点がこの指令を受信するとき、この指令はワイヤレス信号を経て前記CPUに伝送される工程と、
（３）前記CPUがこの指令を受信するとき、この指令が操作したい電気製品を判別し、指令がワイヤレス信号を経て、操作したい電気製品が属する中継点に伝送される工程と、
（４）前記中継点がこの指令を受信するとき、この指令がワイヤレス信号を経て、操作したい電気製品に伝送する工程と、
（５）前記電気製品が作動する工程と、
からなることを特徴とする自動化制御方法。
【請求項４】
自動化制御方法であって、インターネットにより、家の或いはオフィスの部屋の電気製品に対しリモコン制御するとき、
（１）ユーザーがインターネットにより指令をコンピュータに発する工程と、
（２）前記コンピュータがこの指令を受信するとき、この指令はワイヤレス信号、或いは、有線信号により、CPUに伝送される工程と、
（３）前記CPUがこの指令を受信するとき、この指令が操作したい電気製品を判別し、指令がワイヤレス信号を経て、操作したい電気製品が属する中継点に伝送する工程と、
（４）前記中継点がこの指令を受信するとき、この指令がワイヤレス信号を経て、操作したい電気製品に伝送される工程と、
（５）前記電気製品が作動する工程と、
からなることを特徴とする自動化制御方法。
【発明の詳細な説明】
【技術分野】
【０００１】
本発明は自動化制御方法に関するものであって、特に、自動化制御装置が設置する中継点とCPUにより、システムリモコンが異なる部屋内でいかなる部屋の電気設備も制御できるような自動化制御方法に関するものである。
【背景技術】
【０００２】
国民経済と科学技術のレベルの向上、特に、コンピュータ技術、通信技術、ネットワーク技術、制御技術、情報技術の急速な発展で、一般家庭の生活は現代化し、居住環境は快適に、安全になった。これらの高度技術は人々の生活に影響を与え、生活習慣を変化させた。生活のクオリティが向上し、家庭自動化もこのような状況下で誕生した。自動化技術はわれわれの生活からかけ離れたものではなく、よく観察すると、自動化技術は、身近なもので、家電等、どこにでも存在し、自動化技術はわれわれの生活を便利に、快適にするものである。
【０００３】
現在、家庭自動化の市場は、多数の電機メーカーが参入し、全国の家電市場の規模は２０００億になっており、更に、毎年、５〜１０％の速度で成長している。家庭自動化は早期からワイヤレス受信、及び、伝送装置を利用して始まり、ユーザーは電気製品に付けられたリモコンにより、電気製品の操作を行うが、家庭内には十数種の家電があり、それらにそれぞれリモコンがあるので、ユーザーはリモコンが多すぎて混乱し、不便である。よって、業者は更に、多機能のリモコンを研究開発し、自動検索コードロックで、異なる電気製品の操作方式を記録し、リモコンは異なる電化製品を操作できるようになったが、この方法はワイヤレスの伝送距離には一定限度があるので、ユーザーは家電製品が発射する電磁波の範囲内で操作する必要があり、遠隔操作が出来ない。
【０００４】
遠隔操作の家庭自動化設備方面で、業者の研究により、電話ボイスシステムにより遠隔設定を達成するものが開発された。しかし、データ伝送経路は、充分に発達した電話線ネットを利用するが、実際の遠隔操作上、ユーザーは冗長なボイス指示を聞き終わらないと入力のステップに進めないので、時間の無駄であり、また、ミスをしやすく、更に、電話の入力界面に限られ、電気製品とシステム指令番号を各電器、或いは指令コードに記憶させなければならないので、効率が悪い。ユーザーにとって、電話を媒介とするのは比較的容易な操作だといえるが、全体的に言えば、便利で効果的な操作方法とは言えず、いかにして、上述の欠点と不足を改善するかが問題となっている。
【特許文献１】特開2003-018665
【発明の開示】
【発明が解決しようとする課題】
【０００５】
本発明は、自動化制御装置が設置する中継点とCPUにより、システムリモコンが異なる部屋で、いかなる部屋の電気設備も制御できるようにすることを目的とする。
【０００６】
本発明は、自動化制御装置中のCPUを利用して、コンピュータとインターネット接続により、全ての電気製品設備を操作できるようにすることをもう一つの目的とする。
【０００７】
本発明は、中継点の管の相互データ伝送により、効果的にリモコン範囲を拡大することを更なる目的とする。
【課題を解決するための手段】
【０００８】
本発明は、家庭自動化の使用特性に対し、深く分析及び検討し、設計された自動化制御方法を提供する。
【発明の効果】
【０００９】
自動化制御装置が設置する中継点とCPUにより、システムリモコンが異なる部屋内でいかなる部屋の電気設備も制御できる。
【発明を実施するための最良の形態】
【００１０】
図１〜図６は、本発明のメインコントロール端、第一中継端、第二中継点、第三中継点、第四中継点、及び、第五中継点を示す図である。自動化制御装置１０は、CPU１１０、システムリモコン１２０、及び、複数の中継点１３０からなり、且つ、中継点１３０は異なる部屋内に設置できる。CPU１１０はコンピュータ２０に連接され、コンピュータ２０はインターネット３０に接続される。各中継点１３０が属する部屋内に電気製品４０と電源コントローラー５０を設置し、電源コントローラー５０は、電気製品４０が必要とする電源を供給する。CPU１１０は自動検索コードロックで、異なる電気製品４０のリモコン４１０の操作方式を記録し、CPU１１０は電気製品４０が位置する中継点１３０を設定して、システムリモコン１２０はCPU１１０が記録する電気製品４０の制御方式を設定する。
【００１１】
図１〜図６と図７で示されるフローチャートを参照すると、ユーザーがシステムリモコン１２０を利用して、電気製品４０を制御する時、以下のような工程で実行及び判断処理を実行する。
（６００）ユーザーがシステムリモコン１２０のボタンを押すとき、システムリモコン１２０は指令を中継点１３０に発する。
（６１０）中継点１３０がこの指令を受信するとき、この指令はワイヤレス信号を経てCPU１１０に伝送される。
（６２０）CPU１１０がこの指令を受信するとき、この指令が操作したい電気製品４０を判別し、指令がワイヤレス信号を経て、操作したい電気製品４０が属する中継点１３０に伝送する。
（６３０）中継点１３０がこの指令を受信するとき、この指令がワイヤレス信号を経て、操作したい電気製品４０に伝送する。
（６４０）電気製品４０が作動する。
【００１２】
図１〜図６と図８で示される遠隔操作のフローチャートを参照すると、ユーザーがインターネット３０を利用して電気製品４０を制御する時、本発明は、以下のような工程で実行及び判断処理を実行する。
（７００）ユーザーがインターネット３０により指令をコンピュータ２０に発する。
（７１０）コンピュータ２０がこの指令を受信するとき、この指令はワイヤレス信号、或いは、有線信号により、CPU１１０に伝送される。
（７２０）CPU１１０がこの指令を受信するとき、この指令が操作したい電気製品４０を判別し、指令がワイヤレス信号を経て、操作したい電気製品４０が属する中継点１３０に伝送する。
（７３０）中継点１３０がこの指令を受信するとき、この指令がワイヤレス信号を経て、操作したい電気製品４０に伝送する。
（７４０）電気製品４０が作動する。
【００１３】
本発明の自動化制御方法は、公知の設計と比較すると、以下のような点を改善することが出来る。
（１） 中継点１３０の設置とCPU１１０の設置により、多機能リモコン１２０は異なる部屋内で、いかなる部屋の電気製品４０も制御できる。
（２） 自動化制御装置中のCPU１１０を利用し、コンピュータ２０とインターネット３０の接続により、全電気製品４０を操作することができる。
（３） 各中継点１３０のデータ相互伝送により、効果的に制御範囲の拡大が出来る。
【００１４】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００１５】
【図１】本発明のメインコントロール端を示す図である。
【図２】本発明の第一中継端を示す図である。
【図３】本発明の第二中継端を示す図である。
【図４】本発明の第三中継端を示す図である。
【図５】本発明の第四中継端を示す図である。
【図６】本発明の第五中継端を示す図である。
【図７】本発明の作動フローチャートである。
【図８】本発明の遠隔作動フローチャートである。
【符号の説明】
【００１６】
１０…自動化制御装置        
１１０…CPU    
１２０…システムリモコン    
１３０…中継点
２０…コンピュータ
３０…インターネット
４０…電気製品
４１０…リモコン
５０…電源コントローラー
【図１】
2005073229.tif 000003
【図２】
2005073229.tif 000004
【図３】
2005073229.tif 000005
【図４】
2005073229.tif 000006
【図５】
2005073229.tif 000007
【図６】
2005073229.tif 000008
【図７】
2005073229.tif 000009
【図８】
2005073229.tif 000010